(57)【要約】【課題】頭髪を巻き付けた電熱ロッドを適切に温度制御できるパーマ装置を提供することを課題とする。【解決手段】電熱ロッド１が、発熱部材を備えた加熱専用ロッド１ａと、発熱部材と温度を測定するセンサー５を備えたセンサーロッド１ｂとからなるものであって、１つのセンサーロッド１ｂに対して、複数の加熱専用ロッド１ａが組み合わされた被制御ロッド群Ｘごとに、各電熱ロッド１の発熱部材のオンオフ制御がなされるパーマ装置を提供する。これにより、従来、頭髪とは離れて設けられていたダミーの電熱ロッドの温度感知による制御と異なり、センサーロッド１ｂが現実に頭髪の巻き付けられた外周面１１の温度を測定するため、精度の高い制御を行うことができる。また、複数の電熱ロッド１を被制御ロッド群Ｘごとで温度調節が可能であるため、頭髪をきめ細かく変形処理できる。【選択図】          図５
2005279240.tif 000002
【特許請求の範囲】
【請求項１】
電熱ロッド（１）に被施術者の頭髪を巻き付けて加熱することにより、頭髪にウェーブの形成などの変形処理を行うことのできるパーマ装置において、
電熱ロッド（１）が、
ロッド外部から供給された電流によって発熱する発熱部材（２）、
電熱ロッド（１）の外周面（１１）の温度を測定するセンサー（５）、
発熱部材（２）及びセンサー（５）に対して接続された接続プラグ（３）、
接続プラグ（３）と発熱部材（２）との間を接続する発熱部材用ケーブル（４ａ）、
接続プラグ（３）とセンサー（５）との間を接続するセンサー用ケーブル（４ｂ）、
の各々を備えたものであることを特徴とする、パーマ装置。
【請求項２】
電熱ロッド（１）に被施術者の頭髪を巻き付けて加熱することにより、頭髪にウェーブの形成などの変形処理を行うことのできるパーマ装置において、
電熱ロッド（１）が、加熱専用ロッド（１ａ）とセンサーロッド（１ｂ）とからなるものであって、
加熱専用ロッド（１ａ）の内部には、ロッド外部から供給された電流によって、外周面（１１）を発熱させることのできる発熱部材（２）を備え、
この加熱専用ロッド（１ａ）には、上記の発熱部材（２）にロッド外部から電流を供給することを目的とする接続プラグ（３）、そして接続プラグ（３）と発熱部材（２）との間を接続する接続ケーブル（４ａ）が設けられており、
センサーロッド（１ｂ）の内部には、外周面（１１）の温度を測定できるセンサー（５）と、上記加熱専用ロッド（１ａ）と同様の発熱部材（２）とを備え、
このセンサーロッド（１ｂ）には、上記のセンサー（５）から発する温度信号をロッド外部に取り出すことと、発熱部材（２）にロッド外部から電流を供給することとを目的とする接続プラグ（３）、そして接続プラグ（３）とセンサー（５）との間を接続し、接続プラグ（３）と発熱部材（２）との間を接続する接続ケーブル（４ａ，４ｂ）が設けられており、
１つのセンサーロッド（１ｂ）に対して、複数の加熱専用ロッド（１ａ）が組み合わされた被制御ロッド群（Ｘ）ごとに、各電熱ロッド（１）の発熱部材（２）のオンオフ制御がなされることを特徴とする、パーマ装置。
【請求項３】
電熱ロッド（１）に被施術者の頭髪を巻き付けて加熱することにより、頭髪にウェーブの形成などの変形処理を行うことのできるパーマ装置において、
電熱ロッド（１）が、加熱専用ロッド（１ａ）とセンサーロッド（１ｂ）とからなるものであって、加熱専用ロッド（１ａ）の内部には、ロッド外部から供給された電流によって、外周面（１１）を発熱させることのできる発熱部材（２）を備え、センサーロッド（１ｂ）の内部には、外周面（１１）の温度を測定できるセンサー（５）と、上記加熱専用ロッド（１ａ）と同様の発熱部材（２）とを備えたものであり、
このパーマ装置は、電源入力部（６１）、電圧降下部（６２）、制御部（６３）、スイッチング素子（６４）を備えたものであり、
電源入力部（６１）は、電熱ロッド（１）の発熱部材（２）に電流を供給するためのものであり、
電圧降下部（６２）は、電源入力部（６１）から供給された電流を電熱ロッド（１）の発熱部材（２）へと供給可能なように、適切な電圧まで降圧させるためのものであり、
制御部（６３）は、センサーロッド（１ｂ）のセンサー（５）が発する温度信号を受け、スイッチング素子（６４）に対し、オンオフの指令を出すものであり、
スイッチング素子（６４）は、電熱ロッド（１）の発熱部材（２）への電流をオンオフするものであり、
１つのセンサーロッド（１ｂ）に対して、複数の加熱専用ロッド（１ａ）が組み合わされた被制御ロッド群（Ｘ）ごとに、上記の制御部（６３）による、各電熱ロッド（１）の発熱部材（２）のオンオフ制御がなされることを特徴とする、パーマ装置。
【発明の詳細な説明】
【技術分野】
【０００１】
本願発明は、美容室などで用いられるパーマ装置の改良、詳しくは、発熱部材を内蔵した電熱ロッドを頭髪に巻きつけることによって施術するパーマ装置の温度制御の改良に関するものである。
【背景技術】
【０００２】
【特許文献１】特開２００３−１０２５３４号公報
【０００３】
従来より、美容室などで用いられるパーマ装置において、電熱ロッドを用いるものがある。
この電熱ロッドは、電源接続時に発熱するヒーター等の発熱部材を内蔵するものであり、この電熱ロッドに、カーリング剤を塗布した状態の頭髪を巻き付けた後、電熱ロッドを発熱させることにより、頭髪にウェーブの形成などの変形処理を行うことができる。
この電熱ロッドには電気コードが接続され、箱状などの形態を有するパーマ装置本体に備えられた電源から電力が供給される。この一例が特許文献１に示されている。
【０００４】
電熱ロッドのヒータはオンオフ制御され、過熱により電熱ロッドに巻き付けられた頭髪を傷めないようになされている。このオンオフ制御は、従来、パーマ装置本体内にダミーの電熱ロッドが設けられ、そのダミーの電熱ロッドに通電することにより、この電熱ロッド外周面の温度をセンサーなどにより測定し、その温度を基準として、パーマ装置本体に接続され、頭髪を巻き付けた電熱ロッドを一括してオンオフ制御していた。
【発明の開示】
【発明が解決しようとする課題】
【０００５】
ところが、ダミーの電熱ロッドと実際に頭髪を巻き付けた電熱ロッドとは、放熱に関する環境などが異なるため、ダミーの電熱ロッドの温度が基準では精度の低い制御しかできなかった。また、頭髪を巻き付けた複数の電熱ロッドを全て画一的に制御するものであるため、特に小径の電熱ロッドと大径の電熱ロッドとを混在させて同時に使用する場合、この従来の画一的なオンオフ制御では、各電熱ロッドに径が異なることにより発生する温度差により、頭髪を均一に処理できなかった。
これら上記の問題点は、特許文献１に記載のパーマ装置においても有していた。
【０００６】
本願発明は、上記従来の問題点を解決するために発明されたものであり、頭髪を巻き付けた電熱ロッドを適切に温度制御できるパーマ装置を提供することを課題とする。
【課題を解決するための手段】
【０００７】
上記課題を解決するために、本願の請求項１に記載の発明は、電熱ロッド１に被施術者の頭髪を巻き付けて加熱することにより、頭髪にウェーブの形成などの変形処理を行うことのできるパーマ装置において、電熱ロッド１が、ロッド外部から供給された電流によって発熱する発熱部材２、電熱ロッド１の外周面１１の温度を測定するセンサー５、発熱部材２及びセンサー５に対して接続された接続プラグ３、接続プラグ３と発熱部材２との間を接続する発熱部材用ケーブル４ａ、接続プラグ３とセンサー５との間を接続するセンサー用ケーブル４ｂ、の各々を備えたものであることを特徴とする、パーマ装置を提供する。
【０００８】
上記課題を解決するために、本願の請求項２に記載の発明は、電熱ロッド１に被施術者の頭髪を巻き付けて加熱することにより、頭髪にウェーブの形成などの変形処理を行うことのできるパーマ装置において、電熱ロッド１が、加熱専用ロッド１ａとセンサーロッド１ｂとからなるものであって、加熱専用ロッド１ａの内部には、ロッド外部から供給された電流によって、外周面１１を発熱させることのできる発熱部材２を備え、この加熱専用ロッド１ａには、上記の発熱部材２にロッド外部から電流を供給することを目的とする接続プラグ３、そして接続プラグ３と発熱部材２との間を接続する接続ケーブル４ａが設けられており、センサーロッド１ｂの内部には、外周面１１の温度を測定できるセンサー５と、上記加熱専用ロッド１ａと同様の発熱部材２とを備え、このセンサーロッド１ｂには、上記のセンサー５から発する温度信号をロッド外部に取り出すことと、発熱部材２にロッド外部から電流を供給することとを目的とする接続プラグ３、そして接続プラグ３とセンサー５との間を接続し、接続プラグ３と発熱部材２との間を接続する接続ケーブル４ａ，４ｂが設けられており、１つのセンサーロッド１ｂに対して、複数の加熱専用ロッド１ａが組み合わされた被制御ロッド群Ｘごとに、各電熱ロッド１の発熱部材２のオンオフ制御がなされることを特徴とする、パーマ装置を提供する。
【０００９】
また、本願の請求項３に記載の発明は、電熱ロッド１に被施術者の頭髪を巻き付けて加熱することにより、頭髪にウェーブの形成などの変形処理を行うことのできるパーマ装置において、電熱ロッド１が、加熱専用ロッド１ａとセンサーロッド１ｂとからなるものであって、加熱専用ロッド１ａの内部には、ロッド外部から供給された電流によって、外周面１１を発熱させることのできる発熱部材２を備え、センサーロッド１ｂの内部には、外周面１１の温度を測定できるセンサー５と、上記加熱専用ロッド１ａと同様の発熱部材２とを備えたものであり、このパーマ装置は、電源入力部６１、電圧降下部６２、制御部６３、スイッチング素子６４を備えたものであり、電源入力部６１は、電熱ロッド１の発熱部材２に電流を供給するためのものであり、電圧降下部６２は、電源入力部６１から供給された電流を電熱ロッド１の発熱部材２へと供給可能なように、適切な電圧まで降圧させるためのものであり、制御部６３は、センサーロッド１ｂのセンサー５が発する温度信号を受け、スイッチング素子６４に対し、オンオフの指令を出すものであり、スイッチング素子６４は、電熱ロッド１の発熱部材２への電流をオンオフするものであり、１つのセンサーロッド１ｂに対して、複数の加熱専用ロッド１ａが組み合わされた被制御ロッド群Ｘごとに、上記の制御部６３による、各電熱ロッド１の発熱部材２のオンオフ制御がなされることを特徴とする、パーマ装置を提供する。
【発明の効果】
【００１０】
本願発明に係るパーマ装置にあっては、電熱ロッド１のうちのセンサーロッド１ｂに、外周面１１の温度を測定するためのセンサー５を設けることにより、電熱ロッド１の過熱を防止でき、安全に使用することができたものである。
また、従来のダミーの電熱ロッドによる制御と異なり、センサーロッド１ｂが現実に頭髪の巻き付けられた外周面１１の温度を測定するため、精度の高い制御を行うことができたものである。
また、複数の電熱ロッド１を被制御ロッド群Ｘに分け、その被制御ロッド群Ｘごとで温度調節が可能であるため、使い勝手が良く、従来のような画一的な制御と異なり、頭髪をきめ細かく変形処理できたものである。
【発明を実施するための最良の形態】
【００１１】
次に、図面に基づき本願発明の実施の形態の一例をとりあげて説明する。図１は本例のパーマ装置の使用状態を示す説明図である。また、図３及び図４（Ａ）は本例のパーマ装置におけるセンサーロッドの構造を示す図である。また、図５は、本例のパーマ装置のロッドの温度制御機構を示す説明図である。
【００１２】
本例のパーマ装置は、図３に示すような電熱ロッド１を備えたものである。
この電熱ロッド１は、円筒状など、被施術者の頭髪を外周面１１に巻き付けることのできるような形状を有するものとされている。
【００１３】
電熱ロッド１の内部には、通電時に発熱するフィルムヒーターなどの発熱部材２が設けられている。よって施術時において、図４（Ａ）に示すように電熱ロッド１の端面に設けられた接続プラグ３を介して、電源から供給される電流により発熱部材２を発熱させることができ、この熱が電熱ロッド１の外周面１１に伝達され、この外周面１１に巻き付けられた頭髪に作用してウェーブの形成などの変形処理を行うことができる。
【００１４】
本願発明に係る電熱ロッド１には、上記の発熱部材２のみが設けられた加熱専用ロッド１ａと、発熱部材２とともに、外周面１１の温度を測定するためのセンサー５が設けられたセンサーロッド１ｂとがある。
センサーロッド１ｂに設けられたセンサー５は、本例においては、図４（Ａ）に示すように、センサーロッド１ｂの外周面１１の裏側である内周面１２に付着されたものであって、内周面１２の温度を感知することにより、間接的に外周面１１の温度を測定するものである。そして、このセンサー５が発する信号である温度信号を後述する制御部６３へ送ることにより電熱ロッド１（１ａ，１ｂ）を制御できる。
なお、このセンサー５については、図４（Ｂ）に示すように、センサーロッド１ｂの外周面１１を貫通させ、外周面１１に一部が露出したものとし、直接外周面１１の温度を測定するものとしても良い。ただし、この場合は、センサー５が貫通した部分からセンサーロッド１ｂの内部にパーマ液などが侵入しないよう、水密にセンサー５を固定することが望ましい。 
【００１５】
電熱ロッド１の一方の端面には、電流の供給などのための接続プラグ３が設けられており、図２に示すように、電気コード７のロッド側プラグ７ｂに接続される。なお、この接続プラグ３は、加熱専用ロッド１ａについては、上記の発熱部材２へ電流を供給するための配線を接続可能なように、少なくとも２つの端子を有するものである。また、センサーロッド１ｂについては、上記のセンサー５及び発熱部材２を接続可能なように、少なくとも４つの端子を有するものである。そして、接続プラグ３とセンサー５との間は発熱部材用ケーブル４ａで結ばれており、接続プラグ３と発熱部材２との間はセンサー用ケーブル４ｂで結ばれている。
【００１６】
電熱ロッド１は、図１及び図２に示すように、電気コード７の本体側プラグ７ａを介してパーマ装置本体６のソケット６５に接続される。電気コード７の内部には、発熱部材用ケーブル７１とセンサー用ケーブル７２とが設けられており、発熱部材用ケーブル７１は加熱専用ロッド１ａとセンサーロッド１ｂの発熱部材用ケーブル４ａに接続され、センサー用ケーブル７２はセンサーロッド１ｂのセンサー用ケーブル４ｂに接続されることによって、各ロッド１ａ，１ｂとパーマ装置本体６とが電気的に接続される。なお、加熱専用ロッド１ａにのみ用いる電気コード７については、発熱部材用ケーブル７１のみを有し、センサー用ケーブル７２を省略したものとしても良い。
パーマ装置本体６には、電熱ロッド１に電力を供給するための電源に関する機器やその他のスイッチ類が設けられており、図１に示すような箱状のものや、被施術者が着席する椅子に内蔵したもの、壁や天井に取り付けたものなど、種々の形態での実施が可能である。
このパーマ装置本体６には、上記のセンサーロッド１ｂに設けられたセンサー５から送られる温度信号を受け、加熱専用ロッド１ａを含む電熱ロッド１の発熱部材２への電流の供給を制御するための温度制御機構が設けられている。
【００１７】
図５は、本例のパーマ装置の温度制御機構を示す説明図である。
パーマ装置本体６には、電源入力部６１、電圧降下部６２、制御部６３、スイッチング素子６４が設けられている。
電源入力部６１は、電熱ロッド１に電流を供給するためのものであって、通常の場合、パーマ装置本体６の外部から電流を取り入れるためのプラグや電源コードがこれに相当する。
電圧降下部６２は、電源入力部６１から供給された電流を電熱ロッド１の発熱部材２へと供給可能なように、つまり、発熱部材２の発熱のために適切な電圧まで降圧させるための変圧器である。
【００１８】
制御部６３とスイッチング素子６４とは、各々が組み合わされて電熱ロッド１への電流のオンオフ制御を行うものである。
具体的には、スイッチング素子６４は、電熱ロッド１の発熱部材２への電流をオンオフするためのスイッチであって、後述する各被制御ロッド群Ｘ毎に一対一対応で設けられる。
制御部６３は、電熱ロッド１のうち、センサーロッド１ｂに設けられたセンサー５が測定した温度信号を受けて、電熱ロッド１の外周面１１の過熱状況を判断し、それに応じて、スイッチング素子６４に対しオンオフの指令を出すものであって、そのための演算処理を行うマイコンが内蔵されている。制御部６３は、後述する各被制御ロッド群Ｘにおけるセンサーロッド１ｂのセンサー５からそれぞれ送られる温度信号を受信し、その温度信号毎に応じ、上記のように各被制御ロッド群Ｘに対応して設けられたスイッチング素子６４の各々に対して指令する。
【００１９】
上記のように、電熱ロッド１には、加熱のみを行う加熱専用ロッド１ａと、センサー５が内蔵されたセンサーロッド１ｂとが存在する。これらは、１つのセンサーロッド１ｂに対し、複数の加熱専用ロッド１ａを組み合わせて１組の被制御ロッド群Ｘを構成して使用する。すなわち、被制御ロッド群Ｘ中の電熱ロッド１に必ず１つ存在するセンサー５が測定する温度を、各被制御ロッド群Ｘの温度測定値（代表値）とし、この温度測定値（代表値）に応じて、各被制御ロッド群Ｘの加熱専用ロッド１ａとセンサーロッド１ｂとを一括して制御する。よって、被制御ロッド群Ｘのブロック分けを細かく行うほど、温度制御の精度を上げることができる。
【００２０】
次に、本例に係るパーマ装置の動作について、図５に基づき述べる。
電源入力部６１から供給される電流は、変圧器などの電圧降下部６２を経由して降圧され、その後、スイッチング素子６４（６４ａ，６４ｂ）、電気コード７（発熱部材用ケーブル７１）、接続プラグ３、発熱部材用ケーブル４ａを介して、電熱ロッド１の発熱部材２に供給される。これにより、電熱ロッド１の外周面１１が加熱され、この外周面１１に巻きつけられた頭髪にウェーブの形成などの変形処理がなされる。
【００２１】
そして、上記のように、発熱部材２から発生する熱により頭髪が変形処理されると同時に、電熱ロッド１のうちセンサーロッド１ｂの外周面１１の温度が、センサー５によって測定され、このセンサー５の発する温度信号が、センサー用ケーブル４ｂ、接続プラグ３、電気コード７のセンサー用ケーブル７２を介して制御部６３へと送られる。
【００２２】
制御部６３では、このセンサー５から送られた温度信号により、外周面１１が過熱状態にあるかどうかを判断する。そして、外周面１１が過熱状態にある時はスイッチング素子６４（６４ａ，６４ｂ）に指令を送って発熱部材２への通電を遮断し、そうでない時はそのまま通電を継続する。このように、制御部６３がスイッチング素子６４（６４ａ，６４ｂ）を操作して発熱部材２への通電のオンオフを行い、電熱ロッド１の外周面１１が適切な温度となるように制御する。
【００２３】
なお、それぞれの発熱部材２の制御は、上記のようにして分けられた各被制御ロッド群Ｘ毎に一括して行われる。具体的に、第１被制御ロッド群Ｘａにおける各発熱部材２は、図５に示したように接続された第１スイッチング素子６４ａにより一括してオンオフが行われ、第２被制御ロッド群Ｘｂにおける各発熱部材２は、同じく第２スイッチング素子６４ｂにより一括してオンオフが行われる。つまり、各々のスイッチング素子６４（６４ａ，６４ｂ）には一対一で対応する各被制御ロッド群Ｘ（Ｘａ，Ｘｂ）が存在するものであって、制御部６３からの指令を受けて各々のスイッチング素子６４（６４ａ，６４ｂ）が各被制御ロッド群Ｘ（Ｘａ，Ｘｂ）における電熱ロッド１の外周面１１の温度を一括して制御する。
よって、被施術者の頭髪における、頭頂部と裾の部分とで被制御ロッド群Ｘを分けるなど、各被制御ロッド群Ｘの配置を適切に設定することにより、各被制御ロッド群Ｘ毎に電熱ロッド１の制御する温度を変えることができ、これにより、頭髪に所望の変形処理を行うことができる。
【図面の簡単な説明】
【００２４】
【図１】本例のパーマ装置の使用状態を示す説明図である。
【図２】本例のパーマ装置において、本体と電熱ロッドとの接続を示す説明図である。
【図３】（Ａ）は本例のパーマ装置における電熱ロッドを示す斜視図であり、（Ｂ）は本例のセンサーロッドに設けられるセンサーを示す図である。
【図４】センサーロッドの断面図であり、（Ａ）は本例のものを示し、（Ｂ）は他の例を示す。
【図５】本例のパーマ装置のロッドの温度制御機構を示す説明図である。
【符号の説明】
【００２５】
１      電熱ロッド
１ａ    加熱専用ロッド
１ｂ    センサーロッド
１１    電熱ロッドの外周面
２      発熱部材
３      接続プラグ
４ａ    接続ケーブル、発熱部材用ケーブル
４ｂ    接続ケーブル、センサー用ケーブル
５      センサー
６１    電源入力部
６２    電圧降下部
６３    制御部
６４    スイッチング素子
Ｘ      被制御ロッド群
【図１】
2005279240.tif 000003
【図２】
2005279240.tif 000004
【図３】
2005279240.tif 000005
【図４】
2005279240.tif 000006
【図５】
2005279240.tif 000007